(57)【特許請求の範囲】
【請求項１】
殺菌対象物を封入するための殺菌対象物封入用容器において、圧力感知部及び光感知部を備えたことを特徴とする殺菌対象物封入用容器。
【請求項２】
圧力感知部は、殺菌対象物封入用容器の殺菌対象物収容部の周縁部に当該殺菌対象物収容部を取り囲むように設けられ、光感知部は、殺菌対象物収容部の周縁部に当該殺菌対象物収容部を取り囲むように設けられたことを特徴とする請求項１に記載の殺菌対象物封入用容器。
【発明の詳細な説明】
【技術分野】
【０００１】
本発明は、食品や薬品などの殺菌対象物を封入するための殺菌対象物封入用容器に関する。
【背景技術】
【０００２】
液体貯留槽内の液体中に放電用電極と殺菌対象物とを挿入して液体中で放電させ、放電により生じた圧力波で殺菌対象物を殺菌する技術が知られている。例えば、食品や薬品などの殺菌対象物を殺菌対象物封入用容器内に封入した後、当該殺菌対象物が封入された殺菌対象物封入用容器を液体中に入れて、上記放電による殺菌処理を行っている（特許文献１など参照）。
【先行技術文献】
【特許文献】
【０００３】
【特許文献１】特開２００４−２４８８６６号公報
【発明の概要】
【発明が解決しようとする課題】
【０００４】
しかしながら、上述した技術においては、食品や薬品などの殺菌対象物を殺菌対象物封入用容器内に封入した後、殺菌対象物が封入された殺菌対象物封入用容器が殺菌処理されたか否かを確実に確認できる方法がなかった。
本発明は、殺菌処理されたか否かを確実に確認できる殺菌対象物封入用容器を提供する。
【課題を解決するための手段】
【０００５】
本発明は、殺菌対象物を封入するための殺菌対象物封入用容器において、圧力感知部及び光感知部を備えたので、殺菌対象物を封入した殺菌対象物封入用容器に放電で発生する圧力波を作用させて殺菌対象物封入用容器を殺菌した場合、殺菌対象物封入用容器の圧力感知部及び光感知部が上記放電の際に発生した圧力波と光とを受けて殺菌済みを示す証拠を残すので、殺菌済みの証拠を残す圧力感知部及び光感知部による二重のチェックを行え、殺菌対象物封入用容器が圧力波によって殺菌されたか否かを確実に確認できるようになる。
また、圧力感知部は、殺菌対象物封入用容器の殺菌対象物収容部の周縁部に当該殺菌対象物収容部を取り囲むように設けられ、光感知部は、殺菌対象物収容部の周縁部に当該殺菌対象物収容部を取り囲むように設けられたので、圧力感知部及び光感知部と放電電極部との位置合わせが容易となって殺菌作業を容易にできるようになるとともに、圧力感知部及び光感知部を殺菌対象物封入用容器内の殺菌対象物に対するエネルギー照射の邪魔とならないように構成でき、殺菌効率化が図れる。
【図面の簡単な説明】
【０００６】
【図１】図１（ａ）は殺菌対象物封入用容器の正面図、図１（ｂ）は図１（ａ）のＡ−Ａ断面図（実施形態１）。
【図２】殺菌装置を示す図（実施形態１）。
【図３】図３（ａ）は殺菌対象物封入用容器の正面図、図３（ｂ）は図３（ａ）のＡ−Ａ断面図（実施形態２）。
【図４】殺菌装置を示す図（実施形態４）。
【発明を実施するための形態】
【０００７】
実施形態１
実施形態１による殺菌対象物封入用容器は、例えば殺菌対象物としての血液製剤や薬品などを封入したバッグや瓶のような医療用容器、殺菌対象物としての食品を封入したバッグや瓶のような食品用容器である。
【０００８】
図１に示すように、殺菌対象物封入用容器４５は、殺菌対象物収容部５０と、殺菌対象物収容部５０の周縁部に設けられた圧力感知部５１と、圧力感知部５１とは別に殺菌対象物収容部５０の周縁部に設けられた光感知部５２とを備える。即ち、圧力感知部５１及び光感知部５２は、殺菌対象物収容部５０の周縁部において殺菌対象物収容部５０を取り囲むように設けられる。殺菌対象物収容部５０は、例えば、合成樹脂により形成された断面扁平な袋体である。５３は殺菌対象物封入用容器４５内に封入された殺菌対象物である。例えば、圧力感知部５１は、殺菌対象物収容部５０の周縁部に塗られた不可逆性の感圧塗料により形成され、光感知部５２は、殺菌対象物収容部５０の周縁部に塗られた不可逆性の感光塗料により形成される。圧力感知部５１と光感知部５２とは目視によりその領域が区別可能なように形成される。不可逆性の感圧塗料とは、圧力を受けた場合に変色する塗料であって、変色した後は元の色に戻らない性質の感圧塗料である。不可逆性の感光塗料とは、光を受けた場合に変色する塗料であって、変色した後は元の色に戻らない性質の感光塗料である。つまり、これら不可逆性の感圧塗料や感光塗料は、変色が維持されることで圧力や光を受けた証拠を永久に残せる材料である。
図１に示した殺菌対象物封入用容器４５の殺菌対象物収容部５０内には、フェレーシス等において用いられる血液製剤が収容される。殺菌対象物封入用容器４５は、殺菌対象物収容部５０内と連通する給排口部を備える。例えば、給排口部は、吸引口６１と供給口６２と予備口６３；６３とを備える。吸引口６１は体の血液を取出す側と繋がれた吸引チューブ６４と接続される。供給口６２は体に血液を戻す側に繋がれた供給チューブ６５と接続される。予備口６３は、予備口６３の開口を被う密封部６６により密封される。６７は密封部６６を開封するための溝部である。予備口６３を使用する場合は、溝部６７を介して密封部６６を破って予備口６３と図外のチューブとを接続して使用する。
尚、例えば上記吸引口６１及び供給口６２のうちのいずれか一方を介して殺菌対象物収容部５０内に血液製剤を入れた後に、吸引口６１と吸引チューブ６４の一端とを熱圧着で連結するとともに供給口６２と供給チューブ６５の一端とを熱圧着で連結し、さらに、吸引チューブ６４の他端開口及び供給チューブ６５の他端開口を封止した状態で、後述の殺菌装置１を用いて殺菌対象物収容部５０内の血液製剤を殺菌する。
【０００９】
殺菌対象物封入用容器４５中の菌を殺菌する殺菌装置１は、図２に示すように、電極装置２と、電源装置３と、電極装置２と電源装置３とを電気的に接続するための接続体３０とを備える。
【００１０】
電極装置２は、間隔維持手段６Ａによって間隔（放電ギャップ）ｇを隔てて配置された正負の電極４；５からなる放電電極部６を備える。
【００１１】
電極４；５は、電極構成体４Ａ；５Ａの一端により形成される。電極構成体４Ａ；５Ａは、例えば線径２ｍｍ〜３ｍｍ程度の銅線のような導体線の周囲がビニル樹脂などの樹脂で被覆された線径４ｍｍ〜５ｍｍ程度のいわゆる被覆線により形成され、この場合、電極４；５は、被覆線の一端において露出する導体線の一端により形成されることになる。一端が正の電極４となる電極構成体４Ａの他端には正極端子４ａが設けられ、一端が負の電極５となる電極構成体５Ａの他端には負極端子５ａが設けられる。
【００１２】
直線状態の電極構成体４Ａ；５Ａの一端（電極４；５）側を直線状態から直角に折り曲げることにより、互いに直角関係なＬ字状の一端部を形成する。折り曲げられた部分４Ｂ；５Ｂ（以下、電極部という）の一端（電極４；５）同士が間隔ｇを隔てて配置され、間隔維持手段６Ａによって当該間隔ｇが保持された正負の電極４；５からなる放電電極部６が形成される。間隔維持手段６Ａは絶縁体により形成され、例えば、電極部４Ｂ；５Ｂにそれぞれ挟み付けられて取り付けられる挟着体６ｄ；６ｄを両端に備え、互いに対向するように設けられた一対の挟着体６ｄ；６ｄ間の間隔ｂが間隔維持材６ｅにより維持された構成である。間隔維持手段６Ａは、接着剤などで電極部４Ｂ；５Ｂに取り付けられて電極４；５が間隔ｇを隔てて対向するように電極部４Ｂ；５Ｂ同士を連結する図外の棒状絶縁体により構成してもよい。
【００１３】
電源装置３は、昇圧装置１２、パルスパワー出力装置１３を備える。
昇圧装置１２は、電源電圧入力部１４Ａ、図外の変圧器を備えた昇圧回路１５、出力部１４を備える。
昇圧回路１５は、電源電圧入力部１４Ａに接続された電源ケーブル１４Ｃ経由で例えば三相交流２００Ｖ電源電圧を入力して例えば直流２０ｋＶ〜５０ｋＶの電圧を生成し、生成した直流２０ｋＶ〜５０ｋＶの電圧を出力部１４より出力する。出力部１４は、正極端子１４ａと負極端子１４ｂとを備える。
【００１４】
パルスパワー出力装置１３は、入力端子１６、充電回路１７、出力部としての電極接続部１８を備える。入力端子１６は、正極端子１６ａと負極端子１６ｂとを備える。電極接続部１８は、正極端子１８ａと負極端子１８ｂとを備える。充電回路１７は、正極線１７ａ、負極線１７ｂ、コンデンサ２０、スイッチ２１；２２を備える。正極線１７ａには、スイッチ２１とスイッチ２２とが直列に接続される。正極線１７ａの一端が入力端子１６の正極端子１６ａに接続され、正極線１７ａの他端が電極接続部１８の正極端子１８ａに接続される。負極線１７ｂの一端が入力端子１６の負極端子１６ｂに接続され、負極線１７ｂの他端が電極接続部１８の負極端子１８ｂに接続される。コンデンサ２０は、正極線１７ａにおけるスイッチ２１とスイッチ２２との間の接続点と負極線１７ｂとに接続される。即ち、コンデンサ２０は、正極線１７ａ及び負極線１７ｂに並列接続される。スイッチ２１は昇圧装置１２から供給された電圧をコンデンサ２０に充電させるためのスイッチ、スイッチ２２はコンデンサ２０に充電された電荷を放電させて電極接続部１８経由で電極装置２に出力させるためのスイッチである。図示しないが、充電回路１７は接地（アース）されている。
【００１５】
接続体３０は、接続ケーブル３１と、接続ケーブル３１の一端に設けられた入力側コネクタ３２と、接続ケーブル３１の他端に設けられた出力側コネクタ３３とを備える。入力側コネクタ３２は、電源装置３の電極接続部１８の正極端子１８ａ及び負極端子１８ｂの各々に接続される正極端子３２ａ及び負極端子３２ｂを備える。出力側コネクタ３３は、電極構成体４Ａの正極端子４ａに接続される正極端子３３ａ及び電極構成体５Ａの負極端子５ａに接続される負極端子３３ｂを備える。
【００１６】
次に、殺菌対象物５３を封入した殺菌対象物封入用容器４５中の菌を殺菌装置１により殺菌する方法を説明する。上部開放の容器１９内に水道水のような液体４１を入れる。接続体３０の入力側コネクタ３２と電源装置３の電極接続部１８とを電気的に接続するとともに、接続体３０の出力側コネクタ３３と電極構成体４Ａ；５Ａとを電気的に接続する。電極装置２の放電電極部６を容器１９内の液体４１中に入れ、電極装置２を図外の支持装置で支持する。殺菌対象物封入用容器４５を支持装置４６で吊るして液体４１中の放電電極部６の近傍に位置させる。電源装置３のスイッチ２１、スイッチ２２をともに非導通の状態としておいて、電源ケーブル１４Ｃを介して電源装置３を交流２００Ｖ電源に電気的に接続することで、電源ケーブル１４Ｃを経由して昇圧装置１２に交流２００Ｖ電源が供給され、交流２００Ｖが昇圧回路１５で例えば直流２０ｋＶ〜５０ｋＶに昇圧される。そして、スイッチ２１を導通すると、コンデンサ２０に電荷が蓄積される。コンデンサ２０に電荷が蓄積された後に、スイッチ２２を導通する。これにより電極装置２の放電電極部６の電極４；５に電圧が印加されて電極４；５間で放電を生じ、当該放電により生じた圧力波が圧力波伝達媒体としての液体４１を介して殺菌対象物封入用容器４５内に伝達され、当該伝達された圧力波によって殺菌対象物封入用容器４５内の細菌を死滅させることができる。
【００１７】
上記放電の際には、圧力波と光とが発生するので、殺菌対象物封入用容器４５の圧力感知部５１が圧力波による圧力を感知して変色するとともに、殺菌対象物封入用容器４５の光感知部５２が光を感知して変色する。
【００１８】
実施形態１によれば、殺菌対象物５３を封入した殺菌対象物封入用容器４５に放電による圧力波を作用させて殺菌対象物封入用容器４５を殺菌した場合、圧力感知部５１や光感知部５２が変色するので、殺菌対象物封入用容器４５の圧力感知部５１や光感知部５２が変色しているか否かを見ることによって、殺菌対象物封入用容器４５が放電による圧力波によって殺菌されたか否かを確実に確認できるようになり、未殺菌のものの使用を防止できるため、安全性の向上が期待できる。また、殺菌対象物封入用容器４５に殺菌済みであることを示す記録や印字が不要となるため、殺菌後の管理処理も簡単となる。
圧力感知部５１及び光感知部５２は、殺菌対象物収容部５０の周縁部において殺菌対象物収容部５０を取り囲むように設けられたので、放電電極部６を殺菌対象物封入用容器４５の周囲のどこに設置してもよくなり、圧力感知部５１及び光感知部５２と放電電極部６との位置合わせが容易となって、殺菌作業を容易にでき、しかも、圧力感知部５１及び光感知部５２を殺菌対象物収容部５０の中央部付近の外面に設けた場合と比べ、圧力波のエネルギーが殺菌対象物封入用容器４５内の殺菌対象物に到達する前に当該圧力感知部５１及び光感知部５２によって減衰してしまうようなこともなくなる。つまり、圧力感知部５１及び光感知部５２を殺菌対象物収容部５０の周縁部において殺菌対象物収容部５０を取り囲むように設けることで、殺菌対象物封入用容器４５内の殺菌対象物に対するエネルギー照射の邪魔とならないように構成し、殺菌効率化を図れるようにした。
また、圧力感知部５１は、殺菌対象物収容部５０の周縁部に塗られた不可逆性の感圧塗料により形成され、光感知部５２は、殺菌対象物収容部５０の周縁部に塗られた不可逆性の感光塗料により形成されたので、圧力感知部５１及び光感知部５２を塗装により簡単に形成できる。
【００１９】
実施形態２
図３に示すように、圧力感知部５１及び光感知部５２のうちの１つのみを備えた殺菌対象物封入用容器４５としてもよい。
【００２０】
実施形態３
血液製剤などの薬品を封入する殺菌対象物封入用容器４５としては、実施形態１で説明した圧力感知部５１及び光感知部５２の両方を備えたもの（図１参照）を使用し、圧力感知部５１又は光感知部５２が変色しているか否かを確認することにより、未殺菌か否かを簡単に確認でき、安全性の向上が期待できる。この場合、特に、圧力感知部５１及び光感知部５２の双方に変色による証拠が残るので、二重のチェックができて、より安全性が向上する。
食品を封入する殺菌対象物封入用容器４５としては、実施形態２で説明したように圧力感知部５１及び光感知部５２のうちの１つのみを備えたもの（図３参照）を使用してもよい。この場合でも、圧力感知部５１又は光感知部５２が変色しているか否かを確認することにより、未殺菌か否かを簡単に確認でき、安全性の向上が期待できる。
【００２１】
実施形態４
図４に示すような電極装置２を用いてもよい。当該電極装置２は、例えば、＋電極のような一方電極としての棒状の内部導体７３と、内部導体７３の外周囲を被覆する筒状の絶縁体７４と、絶縁体７４の外周囲に設けられた−電極のような他方電極としての外部導体７５とにより構成される。即ち、当該電極装置２は、内部導体７３と絶縁体７４と外部導体７５とが同軸状に配置された構成の同軸電極である。外部導体７５は、内部導体７３の中心線に沿った方向に間隔を隔てて設けられた複数の浮遊電極７６；７６・・・を構成する。浮遊電極とは、電源側と電気的に絶縁された電極のことである。絶縁体７４の先端７４ｔより突出して露出する内部導体７３の先端部７３ｔとこの先端部７３ｔに最も近い浮遊電極７６の先端部７６ｔとで放電を生じさせる先端側放電ギャップ７７が形成され、互いに対向する浮遊電極７６同士の端部７６ｓと端部７６ｓとで放電を生じさせる中間側放電ギャップ７８が形成される。中間側放電ギャップ７８は複数形成される。先端側放電ギャップ７７、中間側放電ギャップ７８が維持された内部導体７３と複数の浮遊電極７６とにより放電電極部６が形成される。動作及び効果は実施形態１と同じである。
【００２２】
尚、圧力感知部５１や光感知部５２は、殺菌対象物収容部５０の周縁部以外の場所に設けてもよい。
【００２３】
また、上記では殺菌装置として放電により圧力波を発生させる装置を用いたが、圧力波を発生させる装置であれば超音波装置などの他の圧力波発生装置を用いてもかまわない。
【００２４】
上記では、不可逆性の感圧塗料により形成された圧力感知部５１や、不可逆性の感光塗料により形成された光感知部５２を例示したが、圧力感知部５１や光感知部５２を塗料以外で構成してもよい。例えば、フッ素樹脂製の圧電素子と金属板とを貼り合わせた構造の圧力感知素子などを用いてもよい。
【符号の説明】
【００２５】
１  殺菌装置、４５  殺菌対象物封入用容器、５１  圧力感知部、５２  光感知部。
【図１】
0005430384.tif 000002
【図２】
0005430384.tif 000003
【図３】
0005430384.tif 000004
【図４】
0005430384.tif 000005